(57)【特許請求の範囲】
【請求項１】
被観察体の微小部位を拡大して撮像する顕微鏡部と、前記顕微鏡部に対する動作指示の入力を受け付ける入力部と、該入力部の少なくとも一部が表面に設けられ、筒状のグリップ部とを備えた医療用観察装置を被覆することによって該医療用観察装置の滅菌状態を保持する滅菌ドレープであって、
袋状をなす本体と、
前記本体の外表面側に設けられ、前記医療用観察装置を被覆した状態で前記グリップ部の側面に固定して取り付けられる取付部と、を備え、
前記医療用観察装置は、前記顕微鏡部が前記グリップ部としての機能を有することを特徴とする滅菌ドレープ。
【請求項２】
前記取付部は、前記医療用観察装置を被覆した状態で該医療用観察装置と対向しない表面側が前記グリップ部に対して突起した形状をなすことを特徴とする請求項１に記載の滅菌ドレープ。
【請求項３】
弾性部材からなり、前記医療用観察装置を被覆した状態で前記グリップ部に設けられた前記入力部の少なくとも一部を被覆する入力部カバーをさらに備えたことを特徴とする請求項１または２に記載の滅菌ドレープ。
【請求項４】
前記取付部は、前記グリップ部の表面に嵌合可能な形状をなすことを特徴とする請求項１〜３のいずれか一項に記載の滅菌ドレープ。
【請求項５】
前記取付部は、帯状をなし、帯長さ方向の両端部に他の端部と係合する係合部を有することを特徴とする請求項１〜３のいずれか一項に記載の滅菌ドレープ。
【請求項６】
前記取付部は、帯長さ方向の中央部が帯幅方向に沿って前記本体の外表面側に接着されていることを特徴とする請求項５に記載の滅菌ドレープ。
【請求項７】
前記取付部は、弾性部材からなることを特徴とする請求項５または６に記載の滅菌ドレープ。
【請求項８】
前記取付部は、前記顕微鏡部の外径より小さい径の筒状をなす弾性部材からなることを特徴とする請求項１〜３のいずれか一項に記載の滅菌ドレープ。
【請求項９】
前記取付部は、
前記顕微鏡部の外径より小さい径の筒状をなす弾性部材からなる筒状部と、
前記筒状部の高さ方向の端部であって前記顕微鏡部の先端に対応する端部に設けられ、前記顕微鏡部が前記被観察体からの光を集光する開口面を保護するカバーガラスと、
を有することを特徴とする請求項１〜３のいずれか一項に記載の滅菌ドレープ。
【請求項１０】
前記筒状部は、前記カバーガラスの外周部分に、径方向に突出したフランジ部を有することを特徴とする請求項９に記載の滅菌ドレープ。
【請求項１１】
前記取付部は、前記顕微鏡部に対して先に挿入する側から切り込んだスリットを形成したことを特徴とする請求項８〜１０のいずれか一項に記載の滅菌ドレープ。
【請求項１２】
前記医療用観察装置は、
前記顕微鏡部が柱状をなして前記グリップ部としての機能を有し、
２つのアーム部および該２つのアーム部の一方を他方に対して回動可能に連結する関節部からなる組を少なくとも一組有し、先端部で前記顕微鏡部を該顕微鏡部の高さ方向の軸のまわりに回動可能に支持する支持部と、
前記顕微鏡部の側面であって撮像信号に基づく画像の上方に対応する側面に設けられ、前記アーム部の回動を許容する操作入力を受け付けるアーム操作スイッチと、
を備え、
前記入力部は、前記アーム操作スイッチを含むことを特徴とする請求項１〜１１のいずれか一項に記載の滅菌ドレープ。
【発明の詳細な説明】
【技術分野】
【０００１】
本発明は、被観察体の微小部位を観察する医療用観察装置に適用される滅菌ドレープに関する。
【背景技術】
【０００２】
従来、被観察体である患者の脳や心臓等における微小部位を観察する医療用観察装置として、顕微鏡部と、顕微鏡部を移動可能に支持するアームとを備えた手術用顕微鏡が知られている（例えば、特許文献１を参照）。この手術用顕微鏡では、顕微鏡部を移動させる場合、ユーザはアームのグリップ部に設けられたアーム操作用のスイッチを押しながら、アームを所望の位置まで移動させる。
【０００３】
手術用顕微鏡等の医療用観察装置を用いて患者の手術を行う際、その表面の滅菌状態を保持するために滅菌ドレープが使用される（例えば、特許文献２および３を参照）。滅菌ドレープは、ビニール等の材料からなる袋状の部材であり、医療用観察装置を被覆するように装着される。
【先行技術文献】
【特許文献】
【０００４】
【特許文献１】特開平５−１７３０５３号公報
【特許文献２】米国特許第３６９８７９１号明細書
【特許文献３】特許第３７０４３８１号公報
【発明の概要】
【発明が解決しようとする課題】
【０００５】
ところで、上述した特許文献１のように、顕微鏡部に対する動作指示の入力を受け付ける入力部がグリップ部に設けられている場合、このグリップ部に滅菌ドレープを被せると、ユーザがグリップ部を把持したときに滅菌ドレープとグリップ部との間に滑りを生じやすかった。このような場合、ユーザは思い通りにスイッチ入力を行うことができず、グリップ部の操作性が損なわれてしまうおそれがあった。
【０００６】
本発明は、上記に鑑みてなされたものであって、適用対象である医療用観察装置において、操作用の入力部が設けられたグリップ部の操作性を良好に保つことができる滅菌ドレープを提供することを目的とする。
【課題を解決するための手段】
【０００７】
上述した課題を解決し、目的を達成するために、本発明に係る滅菌ドレープは、被観察体の微小部位を拡大して撮像する顕微鏡部と、前記顕微鏡部に対する動作指示の入力を受け付ける入力部と、該入力部の少なくとも一部が表面に設けられた棒状のグリップ部とを備えた医療用観察装置を被覆することによって該医療用観察装置の滅菌状態を保持する滅菌ドレープであって、前記医療用観察装置を被覆した状態で前記グリップ部に固定して取り付けられる取付部を備えたことを特徴とする。
【０００８】
本発明に係る滅菌ドレープは、上記発明において、前記取付部は、前記医療用観察装置を被覆した状態で該医療用観察装置と対向しない表面側が前記グリップ部に対して突起した形状をなすことを特徴とする。
【０００９】
本発明に係る滅菌ドレープは、上記発明において、弾性部材からなり、前記医療用観察装置を被覆した状態で前記グリップ部に設けられた前記入力部の少なくとも一部を被覆する入力部カバーをさらに備えたことを特徴とする。
【００１０】
本発明に係る滅菌ドレープは、上記発明において、前記医療用観察装置は、前記顕微鏡部が柱状をなして前記グリップ部としての機能を有し、前記取付部は、前記顕微鏡部に取り付けられることを特徴とする。
【００１１】
本発明に係る滅菌ドレープは、上記発明において、前記取付部は、前記グリップ部の表面に嵌合可能な形状をなすことを特徴とする。
【００１２】
本発明に係る滅菌ドレープは、上記発明において、前記取付部は、帯状をなし、帯長さ方向の両端部に他の端部と係合する係合部を有することを特徴とする。
【００１３】
本発明に係る滅菌ドレープは、上記発明において、前記取付部は、弾性部材からなることを特徴とする。
【００１４】
本発明に係る滅菌ドレープは、上記発明において、前記取付部は、前記顕微鏡部の外径より小さい径の筒状をなす弾性部材からなることを特徴とする。
【００１５】
本発明に係る滅菌ドレープは、上記発明において、前記取付部は、前記顕微鏡部の外径より小さい径の筒状をなす弾性部材からなる筒状部と、前記筒状部の高さ方向の端部であって前記顕微鏡部の先端に対応する端部に設けられ、前記顕微鏡部が前記被観察体からの光を集光する開口面を保護するカバーガラスと、を有することを特徴とする。
【００１６】
本発明に係る滅菌ドレープは、上記発明において、前記筒状部は、前記カバーガラスの外周部分に、径方向に突出したフランジ部を有することを特徴とする。
【００１７】
本発明に係る滅菌ドレープは、上記発明において、前記取付部は、前記顕微鏡部に対して先に挿入する側から切り込んだスリットを形成したことを特徴とする。
【００１８】
本発明に係る滅菌ドレープは、上記発明において、前記医療用観察装置は、前記顕微鏡部が柱状をなして前記グリップ部としての機能を有し、２つのアーム部および該２つのアーム部の一方を他方に対して回動可能に連結する関節部からなる組を少なくとも一組有し、先端部で前記顕微鏡部を該顕微鏡部の高さ方向の軸のまわりに回動可能に支持する支持部と、前記顕微鏡部の側面であって前記撮像信号に基づく画像の上方に対応する側面に設けられ、前記アーム部の回動を許容する操作入力を受け付けるアーム操作スイッチと、を備え、前記入力部は、前記アーム操作スイッチを含むことを特徴とする。
【発明の効果】
【００１９】
本発明によれば、医療用観察装置を被覆した状態でグリップ部に固定して取り付けられる取付部を備えたため、適用対象である医療用観察装置において、操作用の入力部が設けられたグリップ部の操作性を良好に保つことが可能となる。
【図面の簡単な説明】
【００２０】
【図１】図１は、本発明の実施の形態１に係る滅菌ドレープの構成および使用態様を示す図である。
【図２】図２は、本発明の実施の形態１に係る滅菌ドレープの要部の構成および該要部を装着した医療用観察装置の構成を示す拡大斜視図である。
【図３】図３は、図２の矢視Ａ方向の側面図である。
【図４】図４は、図２の矢視Ｂ方向の側面図である。
【図５】図５は、本発明の実施の形態１に係る滅菌ドレープの取付部の顕微鏡部への取付方法の概要模式的に示す図である。
【図６】図６は、本発明の実施の形態１に係る滅菌ドレープの顕微鏡部を術者が操作する状況を模式的に示す図である。
【図７】図７は、本発明の実施の形態２に係る滅菌ドレープの要部の構成および該要部を装着した医療用観察装置の構成を示す拡大斜視図である。
【図８】図８は、図７の矢視Ｃ方向の側面図である。
【図９】図９は、本発明の実施の形態３に係る滅菌ドレープの要部の構成および該要部を装着した医療用観察装置の構成を示す拡大斜視図である。
【図１０】図１０は、本発明の実施の形態３の変形例に係る滅菌ドレープの要部の構成および該要部を装着した医療用観察装置の構成を示す拡大斜視図である。
【図１１】図１１は、本発明の実施の形態４に係る滅菌ドレープの要部の構成および該要部を装着した医療用観察装置の構成を示す拡大斜視図である。
【図１２】図１２は、本発明の実施の形態５に係る滅菌ドレープの要部の構成および該要部を装着した医療用観察装置の構成を示す拡大斜視図である。
【図１３】図１３は、本発明の実施の形態５に係る滅菌ドレープの要部の構成を図１２と異なる方向から見た図である。
【図１４】図１４は、本発明の実施の形態５の変形例に係る滅菌ドレープの要部の構成および該要部を装着した医療用観察装置の構成を示す拡大斜視図である。
【図１５】図１５は、本発明の実施の形態５の変形例に係る滅菌ドレープの要部の構成を図１４と異なる方向から見た図である。
【発明を実施するための形態】
【００２１】
以下、添付図面を参照して、本発明を実施するための形態（以下、「実施の形態」という）を説明する。なお、図面はあくまで模式的なものであり、図面の相互間においても互いの寸法の関係や比率が異なる部分が含まれる場合がある。
【００２２】
（実施の形態１）
図１は、本発明の実施の形態１に係る滅菌ドレープの構成および使用態様を示す図である。同図に示す滅菌ドレープ１は、被観察体の微細構造を拡大して撮像する顕微鏡としての機能を有する医療用観察装置（以下、観察装置という）２を被覆するように被せられ、観察装置２の表面の滅菌状態を保持する。滅菌ドレープ１の本体は、ビニール等の材料を用いて構成され、観察装置２の形状に適合する袋状の異形形状を有する。
【００２３】
図１は、術者２０１が患者２０２の手術を行っている状況を示している。図１において、表示装置３は、観察装置２が撮像した患者２０２の術部の拡大画像を表示している。術者２０１は、表示装置３が表示する患者２０２の術部の拡大画像を見ながら手術を行っている。
【００２４】
観察装置２は、床面上を移動可能なベース部４と、２つのアーム部および該２つのアーム部の一方を他方に対して回動可能に連結する関節部からなる組を複数有し、ベース部４に支持される支持部５と、支持部５の先端に設けられて被観察体の微小部位を拡大して撮像する円柱状の顕微鏡部６と、を備える。
【００２５】
図２は、観察装置２の先端部に装着される滅菌ドレープ１の要部の構成ならびに観察装置２の先端部における支持部５および顕微鏡部６の構成を示す拡大斜視図である。
【００２６】
まず、支持部５の先端部の構成を説明する。支持部５は、先端側で顕微鏡部６を回動可能に支持する第１関節部５１と、第１関節部５１に固定され、第１関節部５１の側面から延びる第１アーム部５２と、先端側で第１アーム部５２を回動可能に保持する第２関節部５３と、先端部が第２関節部５３に固定される第２アーム部５４とを有する。
【００２７】
第１関節部５１は円筒状をなし、高さ方向の中心軸である第１軸Ｏ1のまわりに回動可能に顕微鏡部６を保持する。
第１アーム部５２は、第１関節部５１の側面から第１軸Ｏ1と直交する方向に延びる形状をなす。
第２関節部５３は円筒状をなし、高さ方向の中心軸であり、かつ第１軸Ｏ1と直交する軸である第２軸Ｏ2のまわりに回動可能に第１アーム部５２を保持する。
第２アーム部５４は、第２軸Ｏ2と直交する方向に延びる形状をなす。
【００２８】
第２アーム部５４の基端側からベース部４に至る部分には、複数の関節部およびアーム部が設けられている（図１を参照）。なお、支持部５は、２つのアーム部および該２つのアーム部の一方を他方に対して回動可能に連結する関節部からなる組を少なくとも一組有していればよい。このため、第２アーム部５４の基端側からベース部４に至る部分の構成は、適宜変更することが可能である。
【００２９】
第１関節部５１および第２関節部５３は、顕微鏡部６および第１アーム部５２の回動をそれぞれ禁止する電磁ブレーキを有する。各電磁ブレーキは、顕微鏡部６に設けられるアーム操作スイッチ６３（後述）が押下された状態で解除され、顕微鏡部６および第１アーム部５２の回動が許容される。なお、電磁ブレーキの代わりにエアブレーキを適用してもよい。
【００３０】
支持部５には、複数のケーブルを収容可能な中空部が形成されている。このため、観察装置２の外部にケーブルが露出することなく、ケーブルに人や物が引っかかってしまうのを防止することができる。また、複数のケーブルを本体外部で引き回すよりも小型化することができ、術者２０１の視界の妨げにもならない。
【００３１】
次に、顕微鏡部６の構成を説明する。図３は、図２の矢視Ａ方向（第２軸Ｏ2と平行な方向）の側面図である。顕微鏡部６は、円筒状をなす筒状部６１と、筒状部６１の中空部に設けられ、被観察体の像を拡大して撮像する撮像部６２と、第１関節部５１および第２関節部５３における電磁ブレーキを解除して各関節部の回動を許容する操作入力を受け付けるアーム操作スイッチ６３と、撮像部６２における拡大倍率を変更する操作入力を受け付ける変倍スイッチ６４と、被観察体までの焦点距離を変更する操作入力を受け付ける焦点距離変更スイッチ６５と、を有する。
【００３２】
筒状部６１は、第１関節部５１よりも径が小さい円筒状をなしており、下端部の開口面には、撮像部６２を保護するカバーガラスが設けられている（図示せず）。なお、筒状部６１の形状は円筒状に限られるわけではなく、多角筒状をなしていてもよい。
【００３３】
撮像部６２は、光軸が第１軸Ｏ1と一致するようにそれぞれ配置される複数のレンズを有し、被観察体からの光を集光して結像する光学系６２１と、光学系６２１が集光した光を受光して光電変換することによって撮像信号を生成する撮像素子６２２とを有する。
【００３４】
光学系６２１は、複数のレンズを有し、変倍スイッチ６４の操作に応じて被観察体像の拡大倍率を変更可能であるとともに、焦点距離変更スイッチ６５の操作に応じて被観察体までの焦点距離を変更可能である。
【００３５】
撮像素子６２２は、ＣＣＤ（Charge  Coupled  Device）またはＣＭＯＳ（Complementary  Metal  Oxide  Semiconductor）を用いて構成される。撮像素子６２２が出力する撮像信号は、支持部５の内部空間に設けられる伝送ケーブルを介して表示用の画像データを生成する画像生成装置（図示せず）へ伝送される。
【００３６】
撮像部６２は、第１関節部５１の内部まで入り込んでいる。図３では、筒状部６１および第１関節部５１の中空部に設置される光学系６２１および撮像素子６２２を破線で模式的に示している。また、図３では、顕微鏡部６のうち第１関節部５１の内部に入り込んで第１関節部５１に対して筒状部６１とともに回動する部分を１点鎖線で模式的に示している。
【００３７】
アーム操作スイッチ６３は、押しボタン式のスイッチである。術者２０１がアーム操作スイッチ６３を押下している間、第１関節部５１および第２関節部５３の電磁ブレーキが解除される。術者２０１は、筒状部６１の側面のうち、変倍スイッチ６４および焦点距離変更スイッチ６５が設けられる側面と向かい合って顕微鏡部６を操作する。
【００３８】
変倍スイッチ６４は、拡大倍率を大きくするズームインスイッチ６４１と、拡大倍率を小さくするズームアウトスイッチ６４２とを有する。
焦点距離変更スイッチ６５は、被観察体までの焦点距離を遠くする遠景フォーカススイッチ６５１と、被観察体までの焦点距離を近くする近景フォーカススイッチ６５２とを有する。
【００３９】
以上の構成を有する顕微鏡部６は、術者２０１が顕微鏡部６の視野を移動させる際に術者２０１が把持して操作を行うグリップ部としての機能を兼備している。
【００４０】
次に、滅菌ドレープ１のうち、観察装置２の先端部に装着される部分の構成を説明する。図２に示すように、滅菌ドレープ１は、顕微鏡部６の筒状部６１の先端に取り付けられ、顕微鏡部６が被観察体からの光を集光する開口面を保護するカバーガラス（図示せず）が取り付けられた円筒状の開口カバー１１と、筒状部６１の側面のうち、筒状部６１の高さ方向に沿ってアーム操作スイッチ６３よりも第１関節部５１から遠い側面の部分に固定して取り付けられる取付部１２と、を有する。
【００４１】
図４は、図２の矢視Ｂ方向（第１軸Ｏ1および第２軸Ｏ2と直交する方向）の側面図である。取付部１２は、滅菌ドレープ１の袋状をなす本体の外表面側に連なって設けられる２つの突起部１２１、１２２を有する。突起部１２１、１２２は、筒状部６１に取り付けられた状態で、筒状部６１の表面において該筒状部６１の高さ方向に沿って並ぶように配設される。取付部１２は、滅菌ドレープ１の本体をなすビニールよりも硬質の弾性部材を用いて構成され、筒状部６１の表面に固定して取り付けられる。弾性部材は、外部から接触する物体（例えば術者２０１の手）の滑りを防止することが可能な材料からなる。なお、開口カバー１１のカバーガラス以外の部分も、取付部１２と同様の材料から構成される。
【００４２】
図５は、取付部１２の顕微鏡部６（筒状部６１）への取付方法の概要を模式的に示す図である。突起部１２１、１２２の裏面（滅菌ドレープ１を顕微鏡部６に装着した状態で顕微鏡部６と対向する面）には取付凹部１２１ａ、１２２ａがそれぞれ形成されている。取付凹部１２１ａ、１２２ａは、筒状部６１の表面において、筒状部６１の高さ方向（図５における上下方向）に沿って並べて設けられた２つの取付凸部６１１、６１２にそれぞれ嵌合される。これにより、取付部１２が筒状部６１に対して固定して取り付けられる。
【００４３】
滅菌ドレープ１を観察装置２に被せて装着する際には、開口カバー１１を筒状部６１の先端に取り付けた後、取付凹部１２１ａ、１２２ａを取付凸部６１１、６１２にそれぞれ嵌合させることにより、滅菌ドレープ１を観察装置２の先端部に対して装着する。
【００４４】
なお、取付部１２の形状は上述した形状に限定されるわけではない。また、取付部１２に突起部を設けた場合の突起部の数も上述した２つに限定されるわけではない。
【００４５】
図６は、術者２０１が顕微鏡部６を操作する状況を模式的に示す図である。術者２０１は、筒状部６１の側面のうち、変倍スイッチ６４および焦点距離変更スイッチ６５が設けられる側面と向かい合って顕微鏡部６を操作する。この際、術者２０１は、顕微鏡部６を右手２１１で把持した状態で、アーム操作スイッチ６３を人差し指（または中指または薬指）で押下しながら支持部５を操作する。このため、顕微鏡部６を自然に握ったままアーム操作スイッチ６３を押下して支持部５を操作することができる。
【００４６】
術者２０１は、図１に示すように、表示装置３が表示する画像（顕微鏡部６が撮像する画像）を目視しながら、顕微鏡部６のアーム操作スイッチ６３を押下した状態で顕微鏡部６を把持して所望の位置まで移動させる。術者２０１は、顕微鏡部６の視野を決定した後、アーム操作スイッチ６３から指を離す。これにより、第１関節部５１および第２関節部５３では電磁ブレーキが作動し、顕微鏡部６の視野が固定される。その後、術者２０１は、変倍スイッチ６４を操作して拡大倍率を変更したり、焦点距離変更スイッチ６５を操作して被観察体までの焦点距離を調整したりする。
【００４７】
術者２０１が顕微鏡部６を把持しやすく、かつ術者２０１が表示装置３または患者２０２の術部を見る際の視界の妨げとならないようにするには、例えば筒状部６１の外径が４０〜７０ｍｍ程度であり、筒状部６１の先端から第１関節部５１までの高さが８０〜２００ｍｍ程度であればより好ましい。また、取付部１２の突起部１２１、１２２は、術者２０１が筒状部６１の把持しやすさを損なわない程度（たかだか数ｍｍ程度）の厚みを有していることが望ましい。
【００４８】
以上説明した本発明の実施の形態１によれば、観察装置２を被覆した状態で顕微鏡部６（グリップ部）に固定して取り付けられる取付部１２を備えたため、適用対象である観察装置２において、操作用の入力部としてアーム操作スイッチ６３等が設けられた顕微鏡部６の操作性を良好に保つことが可能となる。
【００４９】
また、本実施の形態１によれば、取付部１２が、顕微鏡部６と滅菌ドレープ１のビニール部との間で滑りを生じることがないので、ユーザは思い通りに顕微鏡部６を移動することができる。
【００５０】
また、本実施の形態１によれば、取付部１２が顕微鏡部６に固着することで顕微鏡部６の周囲における滅菌ドレープ１の余分な弛みを抑えられるため、滅菌ドレープ１がユーザの視界を遮ってしまうのを抑制することができる。
【００５１】
また、本実施の形態１によれば、取付部１２が外表面に突起した形状をなしているため、ユーザが顕微鏡部６を移動させる際に、ユーザの手が取付部１２に対して滑るのを防止することができる。したがって、ユーザは、顕微鏡部６をより確実に把持し、顕微鏡部６を思い通りに操作することができる。
【００５２】
なお、取付部１２の設置位置は上述したものに限られるわけではない。例えば、取付部１２を変倍スイッチ６４および焦点距離変更スイッチ６５が設けられる側面（手術中の術者２０１と対向する側面）に設けることも可能である。
【００５３】
（実施の形態２）
図７は、本発明の実施の形態２に係る滅菌ドレープの要部の構成および該要部を装着した医療用観察装置の構成を示す拡大斜視図である。図８は、図７の矢視Ｃ方向（第１軸Ｏ1および第２軸Ｏ2と直交する方向）の側面図であり、一部を断面で記載している。図７および図８に示す滅菌ドレープ７は、観察装置２を被覆するように被せられ、観察装置２の表面の滅菌状態を保持する。
【００５４】
滅菌ドレープ７は、開口カバー７１と、取付部７２とを有する。開口カバー７１の構成は、滅菌ドレープ１の開口カバー１１の構成と同じである。滅菌ドレープ７の本体は、実施の形態１の滅菌ドレープ１の本体と同様の材料を用いて構成される。
【００５５】
取付部７２は、滅菌ドレープ７の袋状をなす本体の外表面側に連なって設けられる２つの突起部７２１、７２２であって、筒状部６１に取り付けた状態で、筒状部６１の表面において該筒状部６１の高さ方向に沿って並ぶように配設される２つの突起部７２１、７２２と、突起部７２１の端部のうち突起部７２２に連なる側と反対側の端部に連なって形成され、アーム操作スイッチ６３を被覆するように設けられるスイッチカバー（入力部カバーの例）７２３とを有する。図８では、スイッチカバー７２３の断面であって図７に示す第１軸Ｏ1および第２軸Ｏ2を通過する断面を示している。スイッチカバー７２３の厚さは、スイッチカバー７２３の上からアーム操作スイッチ６３の操作を行うことができる程度の厚さとすることが好ましい。
【００５６】
突起部７２１、７２２は、上述した滅菌ドレープ１の突起部１２１、１２２と同様に取付凹部をそれぞれ有しており、筒状部６１の表面に形成される取付凸部６１１、６１２（図５を参照）とそれぞれ嵌合することによって筒状部６１に固着される。なお、スイッチカバー７２３と筒状部６１との間でさらに嵌合する構成としてもよい。
【００５７】
取付部７２は、実施の形態１の取付部１２と同様の弾性部材を用いて構成され、外部から接触する物体の滑りを防止する機能を有する。
【００５８】
以上説明した本発明の実施の形態２によれば、実施の形態１と同様の効果を得ることができる。加えて、本実施の形態２によれば、取付部７２がスイッチカバー７２３を有しているため、ユーザがアーム操作スイッチ６３を操作する際の滅菌ドレープ７の本体と顕微鏡部６との間の滑りを防止することができる。
【００５９】
（実施の形態３）
図９は、本発明の実施の形態３に係る滅菌ドレープの要部の構成および該要部を装着した医療用観察装置の構成を示す拡大斜視図である。同図に示す滅菌ドレープ８は、観察装置２を被覆するように被せられ、観察装置２の表面の滅菌状態を保持する。
【００６０】
滅菌ドレープ８は、開口カバー８１と、取付部８２とを有する。開口カバー８１の構成は、滅菌ドレープ１の開口カバー１１の構成と同じである。また、滅菌ドレープ８の本体は、実施の形態１の滅菌ドレープ１の本体と同様の材料を用いて構成される。
【００６１】
取付部８２は、筒状部６１より若干径が小さい円筒状をなす。取付部８２は、筒状部６１を周回した態様で筒状部６１に固定して取り付けられる。取付部８２は、実施の形態１の取付部１２と同様の弾性部材を用いて構成され、外部から接触する物体の滑りを防止する機能を有する。
【００６２】
取付部８２を筒状部６１へ取り付ける際には、取付部８２を伸ばして筒状部６１の先端側から筒状部６１を挿通する。その後、開口カバー８１を顕微鏡部６の先端に取り付けることにより、滅菌ドレープ８の顕微鏡部６への装着が完了する。
【００６３】
以上説明した本発明の実施の形態３によれば、実施の形態１と同様の効果を得ることができる。加えて、本実施の形態３によれば、取付部８２が円筒状の弾性部材からなるため、顕微鏡部６への装着が容易である。また、取付部８２は、顕微鏡部６を周回する態様で顕微鏡部６に装着されるため、ユーザはより確実に顕微鏡部６を把持することができ、顕微鏡部６を思い通りに操作することができる。
【００６４】
なお、本実施の形態３において、変倍スイッチ６４および焦点距離変更スイッチ６５等、筒状部６１に設けられる他のスイッチに対して入力部カバーを設けてもよい。さらに、筒状部６１の断面が円形状ではなく、一部を異形状としたり、筒状部６１の外周に部分的に凸部を設けたりすることで、取付部８２が筒状部６１に対して回転してしまうのをより抑えることができるとともに、取付部８２を筒状部６１に装着する際の位置決めが容易となる。
【００６５】
図１０は、本実施の形態３の変形例に係る滅菌ドレープの要部の構成および該要部を装着した医療用観察装置の構成を示す拡大斜視図である。同図に示す滅菌ドレープ９は、開口カバー９１と、取付部９２とを有する。取付部９２は、取付部８２と同様、筒状部６１より若干径が小さい円筒状をなし、取付部８２と同様の材料からなる。なお、開口カバー９１の構成は、滅菌ドレープ１の開口カバー１１の構成と同じである。
【００６６】
取付部９２には、開口カバー９１と対向する端部と異なる端部から円筒の高さ方向へ向けて途中まで切り込まれたＴ字状のスリット９２１が形成されている。
【００６７】
取付部９２を顕微鏡部６へ取り付ける際には、取付部９２を径方向へ伸ばしてスリット９２１を開いた状態で筒状部６１の先端側から筒状部６１を挿通する。その後、開口カバー９１を顕微鏡部６の先端に取り付けることにより、滅菌ドレープ９の顕微鏡部６への装着が完了する。
【００６８】
本変形例によれば、取付部９２にスリット９２１を形成したことにより、取付部９２を筒状部６１に取り付ける際、取付部９２の径を広げて装着できるので、一段と取り付けが容易となる。
【００６９】
なお、スリット９２１の個数は２つ以上であってもよい。また、スリットの形状は、上述しＴ字状に限られるわけではなく、適宜変更可能である。また、取付部９２を筒状部６１に取り付けた後、スリット９２１の口元が開かないようにその口元を固定する固定部材を設けるようにすれば、取付部９２を筒状部６１に対してより確実に固定することができる。
【００７０】
（実施の形態４）
図１１は、本発明の実施の形態４に係る滅菌ドレープの要部の構成および該要部を装着した医療用観察装置の構成を示す拡大斜視図である。同図に示す滅菌ドレープ１０は、観察装置２を被覆するように被せられ、観察装置２の表面の滅菌状態を保持する。
【００７１】
滅菌ドレープ１０は、開口カバー１０１と、取付部１０２とを有する。開口カバー１０１の構成は、滅菌ドレープ１の開口カバー１１の構成と同じである。また、滅菌ドレープ１０の本体は、実施の形態１の滅菌ドレープ１と同様の材料を用いて構成される。
【００７２】
取付部１０２は帯状をなし、帯長さ方向（顕微鏡部６に取り付けた状態で顕微鏡部６を周回する方向に対応）の両端部に、例えば面ファスナーからなり、互いに他方と係合可能な係合部１０３、１０４を有する。取付部１０２の帯長さ方向の中央部１０５は、帯幅方向（顕微鏡部６に取り付けた状態における顕微鏡部６の高さ方向に対応）に沿って滅菌ドレープ１０の袋状をなす本体の外表面側に接着されている。取付部１０２の帯長さは、係合部１０３、１０４の係合によって重なる部分を除いて、筒状部６１の外周の長さより若干小さい。
【００７３】
図１１に示す状態から滅菌ドレープ１０を筒状部６１に対して取り付ける際には、取付部１０２の両端を筒状部６１に巻き付けて係合部１０３、１０４を互いに係合することによって筒状部６１に対して固定する。
【００７４】
取付部１０２は、実施の形態１の取付部１２と同様の弾性部材を用いて構成され、外部から接触する物体の滑りを防止する機能を有する。
【００７５】
以上説明した本発明の実施の形態４によれば、実施の形態１と同様の効果を得ることができる。加えて、本実施の形態４によれば、取付部１０２の顕微鏡部６への取付が容易である。また、取付部１０２は、顕微鏡部６を周回しているため、ユーザは、より確実に顕微鏡部６を把持し、顕微鏡部６を思い通りに操作することができる。
【００７６】
さらに、本実施の形態４によれば、取付部１０２は、顕微鏡部６へ取り付ける前の状態で薄い帯状をなしているため、かさばらず、変形により顕微鏡部６への取付が困難になるなどの不具合も起こりえない。したがって、滅菌ドレープ１０は、出荷する際に梱包しやすい上、梱包材への収納効率にも優れており、安価で経済的である。
【００７７】
なお、本実施の形態４において、筒状部６１の断面が円形状ではなく、一部を異形状としたり、筒状部６１の外周に部分的に凸部を設けたりすることで、取付部１０２が筒状部６１に対して回転してしまうのをより抑えることができるとともに、取付部１０２を筒状部６１に装着する際の位置決めが容易となる。このように筒状部６１の形状が異形状であっても、取付部１０２を筒状部６１に巻き付けて装着するため、取付部１０２を筒状部６１に対して容易にフィットさせることができる。
【００７８】
（実施の形態５）
図１２は、本発明の実施の形態５に係る滅菌ドレープの要部の構成および該要部を装着した医療用観察装置の構成を示す拡大斜視図である。図１３は、本実施の形態５に係る滅菌ドレープの要部を図１２と異なる方向から見た図である。図１２および図１３に示す滅菌ドレープ１３は、観察装置２を被覆するように被せられ、観察装置２の表面の滅菌状態を保持する。滅菌ドレープ１３の本体は、実施の形態１の滅菌ドレープ１と同様の材料を用いて構成される。
【００７９】
滅菌ドレープ１３は、顕微鏡部６の先端に固定して取り付けられ、筒状部６１に対する滑りを防止する機能を有する取付部１３１を有する。取付部１３１は、顕微鏡部６の外径より小さい径の円筒状をなす弾性部材からなる筒状部１３２と、筒状部１３２の高さ方向の端部であって顕微鏡部６の先端に対応する端部に設けられ、顕微鏡部６が被観察体からの光を集光する開口面を保護するカバーガラス１３３とを有する。取付部１３１は、実施の形態１の取付部１２と同様の弾性部材を用いて構成され、外部から接触する物体の滑りを防止する機能を有する。
【００８０】
取付部１３１を顕微鏡部６へ取り付ける際には、取付部１３１の端部のうちカバーガラス１３３が設けられていない方の端部を径方向に伸ばして筒状部６１の先端側から筒状部６１を挿通する。その後、カバーガラス１３３の位置を顕微鏡部６の先端に位置合わせして装着することにより、滅菌ドレープ１３の顕微鏡部６への装着が完了する。
【００８１】
以上説明した本発明の実施の形態５によれば、実施の形態１と同様の効果を得ることができる。加えて、本実施の形態５によれば、取付部１３１が開口カバーの機能も有しているため、取付部とは別に開口カバーを顕微鏡部６へ装着する手間を省くことができる。
【００８２】
なお、取付部１３１に対して、実施の形態３の変形例で説明したＴ字状のスリット９２１（図１０を参照）と同様のスリットを形成することも可能である。
【００８３】
図１４は、本実施の形態５の変形例に係る滅菌ドレープの要部の構成および該要部を装着した医療用観察装置の構成を示す拡大斜視図である。図１５は、本変形例に係る滅菌ドレープの要部を図１４と異なる方向から見た図である。図１４および図１５に示す滅菌ドレープ１４は、顕微鏡部６の先端に装着される取付部１４１を有する。
【００８４】
取付部１４１は、顕微鏡部６の外径より小さい径の円筒状をなす弾性部材からなる筒状部１４２と、筒状部１４２の高さ方向の端部であって顕微鏡部６の先端に対応する端部に設けられ、顕微鏡部６の開口面を保護するカバーガラス１４３とを有する。
【００８５】
筒状部１４２は、カバーガラス１４３の外周部分に、径方向に突出したフランジ部１４２ａを有する。筒状部１４２は、実施の形態１の取付部１２と同様の弾性部材を用いて構成され、外部から接触する物体の滑りを防止する機能を有する。
【００８６】
本変形例によれば、フランジ部１４２ａが形成されているため、顕微鏡部６を把持する際に、誤って開口カバーに触れてしまい、開口カバーを汚してしまったり、照明光や観察光の光路を遮ってしまったりすることがない。また、本変形例によれば、顕微鏡部６の把持部分を物理的に制限できるため、ユーザは常に同じ感覚で顕微鏡部６を把持することができ、顕微鏡部６の操作を安定して行うことができる。
【００８７】
（その他の実施の形態）
ここまで、本発明を実施するための形態を説明してきたが、本発明は、上述した実施の形態１〜５によってのみ限定されるべきものではない。例えば、滅菌ドレープの本体に、伸縮自在なリング形状をなす弛み防止部材を適宜配置してもよい。このような弛み防止部材の構成として、例えば図９に示す取付部８２、図１０に示す取付部９２、または図１１に示す取付部１０２と同様の構成を適用することも可能である。
【００８８】
弛み防止部材は、支持部５の動きによって滅菌ドレープに弛みが生じやすい箇所に設けるのが好ましい。このような場所として、例えば支持部５が有する関節部の近くを挙げることができる。
【００８９】
また、従来の手術用顕微鏡のように、鏡筒とは別の場所に各種スイッチが形成されたグリップ部を有する場合であっても、本発明を適用することが可能である。
【００９０】
このように、本発明は、特許請求の範囲に記載した技術的思想を逸脱しない範囲内において、さまざまな実施の形態等を含み得るものである。
【符号の説明】
【００９１】
１、７、８、９、１０、１３、１４  滅菌ドレープ
２  医療用観察装置
３  表示装置
４  ベース部
５  支持部
６  顕微鏡部
１１、７１、８１、９１、１０１  開口カバー
１２、７２、８２、９２、１０２、１３１、１４１  取付部
５１  第１関節部
５２  第１アーム部
５３  第２関節部
５４  第２アーム部
６１  筒状部
６２  撮像部
６３  アーム操作スイッチ
６４  変倍スイッチ
６５  焦点距離変更スイッチ
１２１、１２２、７２１、７２２  突起部
１２１ａ、１２２ａ  取付凹部
１３２、１４２  筒状部
１３３、１４３  カバーガラス
１４２ａ  フランジ部
６１１、６１２  取付凸部
６２１  光学系
６２２  撮像素子
６４１  ズームインスイッチ
６４２  ズームアウトスイッチ
６５１  遠景フォーカススイッチ
６５２  近景フォーカススイッチ
９２１  スリット
【図１】
0006367018.tif 000002
【図２】
0006367018.tif 000003
【図３】
0006367018.tif 000004
【図４】
0006367018.tif 000005
【図５】
0006367018.tif 000006
【図６】
0006367018.tif 000007
【図７】
0006367018.tif 000008
【図８】
0006367018.tif 000009
【図９】
0006367018.tif 000010
【図１０】
0006367018.tif 000011
【図１１】
0006367018.tif 000012
【図１２】
0006367018.tif 000013
【図１３】
0006367018.tif 000014
【図１４】
0006367018.tif 000015
【図１５】
0006367018.tif 000016